(57)【要約】      （修正有）【課題】床ズレ防止通報器を提供する。【解決手段】寝具上の人体の体動を薄いフレキシブルで面検知する体動検知手段と、前記体動検知手段から得られる体動信号を解析する体動解析手段と、前記体動解析手段で得られた体動信号の間隔を計測する体動間隔計測手段と、前記体動間隔計測手段で得られた体動信号の間隔が規定置以上になると第三者に知らせる通報手段からなる。【選択図】図１
0003119439.tif 000002
【実用新案登録請求の範囲】
【請求項１】
寝具上の人体の体動を薄いフレキシブルで面検知する体動検知手段と、前記体動検知手段から得られる体動信号を解析する体動解析手段と、前記体動解析手段で得られた体動信号の間隔を計測する体動間隔計測手段と、前記体動間隔計測手段で得られた体動信号の間隔が規定置以上になると第三者に知らせる通報手段からなる床ズレ防止通報器。
【請求項２】
請求項１の床ズレ防止通報器に就寝者の人体の有無を判断する人体検知部を搭載した床ズレ防止通報器。
【請求項３】
請求項１の体動検知手段に圧電性セラミックス、例えば窒化アルミニュウム薄膜を用いた床ズレ防止通報器。
【請求項４】
請求項１の体動検知手段に圧電フィルム、例えばＰＤＶＦを用いた床ズレ防止通報器。
【請求項５】
請求項１の体動検知手段に静電容量センサを用いた床ズレ防止通報器。
【請求項６】
請求項１の体動検知手段に感圧フィルムセンサを用いた床ズレ防止通報器。
【請求項７】
請求項１の体動検知手段にエアーマット内にマイクロホンを内蔵したセンサ、エアーマット内に圧力センサを内蔵したセンサ、エアーマット内に気圧センサを内蔵したセンサ床ズレ防止通報器。
【請求項８】
請求項１の体動検知手段にエアーマットとチューブを接続し、チューブの端に気圧センサまたは圧電センサまたは加速度センサまたはジャイロその他体動が検知できるセンサを用いた床ズレ防止通報器。
【考案の詳細な説明】
【技術分野】
【０００１】本考案は床ズレ防止通報器に関するものである。
【背景技術】
【０００２】体の自由がきかず体を動かす事が出来ない寝たきりの高齢者・病人が床ズレにならないように看護師、介護師は時間を決めて体位を変えていた。
【考案が解決しようとする課題】
【０００３】そのために次の問題点があった。
イ）看護師、介護師不足により時間通り体位変更作業難しくなっている。
ロ）体位変更時間管理が難しい。
ハ）体位変更時の通報システムが無い。
ニ）床ズレ防止用ベッドがあるが高価であるため普及していない。
【課題を解決するための手段】
【０００４】上記課題を解決するための本件の第１考案は、寝具上の人体の体動を薄いフレキシブルで面検知する体動検知手段と、前記体動検知手段から得られる体動信号を解析する体動解析手段と、前記体動解析手段で得られた体動信号の間隔を計測する体動間隔計測手段と、前記体動間隔計測手段で得られた体動信号の間隔が規定置以上になると第三者に知らせる通報手段からなることを特徴とする床ズレ防止通報器。
【０００５】また第２考案は、請求項１の床ズレ防止通報器に就寝者の人体の有無を判断する人体検知部を搭載したことを特徴とする床ズレ防止通報器。
【０００６】また第３考案は、請求項１の体動検知手段に圧電性セラミックス、例えば窒化アルミニュウム薄膜を用いたことを特徴とする床ズレ防止通報器。
【０００７】また第４考案は、請求項１の体動検知手段に圧電フィルム例えばＰＶＤＦを用いたことを特徴とする床ズレ防止通報器。
【０００８】また第５考案は、請求項１の体動検知手段に静電容量センサを用いたことを特徴とする床ズレ防止通報器。
【０００９】また第６考案は、請求項１の体動検知手段に感圧フィルムセンサを用いたことを特徴とする床ズレ防止通報器。
【００１０】また第７考案は、請求項１の体動検知手段にエアーマット内にマイクロホンを内蔵したセンサ、エアーマット内に圧力センサを内蔵したセンサ、エアーマット内に気圧センサを内蔵したことを特徴とする床ズレ防止通報器。
【００１１】また第８考案は、請求項１の体動検知手段にエアーマットとチューブを接続し、チューブの端に気圧センサまたは圧電センサまたは加速度センサまたはジャイロその他体動が検知できるセンサを用いた床ズレ防止通報器。
【考案の効果】
【００１２】本考案の床ズレ防止通報器は、体位変更時間を自動的に知らせてくれるので時間忘れによるトラブルが無くなる。
【００１３】本考案の床ズレ防止通報器の体動検知部は薄くてフレキシブル性があるのでパッドやシーツ下に敷いても就寝者に違和感を与える事がない。
【００１４】本考案の床ズレ防止通報器の体動検知部は薄くてフレキシブル性があり装着場所が簡単に変更できる。
【００１５】本考案の床ズレ防止通報は、手術後発生するエコノミークラス症候群対策用としても使用が可能。
【考案を実施するための最良の形態】
【００１６】以下、本考案１の実施形態１について説明する。体動を検知する体動を図１において就寝中の高齢者、病人の体動を検知する体動検知部１の出力は体動間隔計測部３の入力に接続され体動間隔計測部３の出力は通報部４の入力に接続される。【００１７】図１、図２において本考案１は以上の構成により寝具に装着した体動検知部１上の人体の体動を体動検知部１で検出する。前記体動検知部１で検知した検知信号を体動解析部２でフィルターＦＦＴまたはカウスまたはウェブレッドまたはその他の周波数解析により商用周波数成分その他の雑音を除去し、体動信号ａ．ｂのみを抽出する。前記体動解析部２で抽出した体動信号発生時間間隔ｃを体動間隔計測部３で計測を行い体動信号発生時間間隔規定間隔時間をオーバーすると体動間隔計測部３から異状信号を出力する。前記体動間隔計測部３の規定間隔時間はソフトまたはボリュウムまたはディップスイッチ、ロータリエンコーダスイッチその他の手段により変更が可能。前記体動間隔計測部３から異状信号を出力されると通報部４では光または音または無線またはナースコール回線または携帯電話、ＰＨＳ、ＰＤＡ、ポケベルまたはインターネットまたは電話または光通信その他の通信手段を用いて第三者に知らせる。【００１８】また通報部４で第三者に知らせ適切な体位移動させた後体動間隔計測部３で体動信号発生時間間隔計測をリセットして新たに体動信号発生時間間隔の計測を行う。【００１９】以下本考案２の実施形態２について説明する。図１において人体検知部５の出力は体動間隔計測部３の入力に接続される。【００２０】図２において本考案１は以上の構成により、人体検知部５は就寝者の有無の判断を行い体動間隔計測部３は前期人体検知部５が人体を検知したときに体動信号時間間隔計測を行なう。【００２１】また前記人体検知部の出力は人体を検知して本床ズレ防止通報器が作動する仕組であれば前記体動間隔計測部３以外の回路に入力することができる。【００２２】以下本考案３の実施形態３について説明する。体動検知部１に圧電性セラミックス例えば窒化アルミニュウム薄膜を用いる。【００２３】以下本考案４の実施形態４について説明する。体動検知部１に圧電フィルムＰＶＤＦを用いる。【００２４】以下本考案５の実施形態５について説明する。体動検知部１に静電容量センサを用いる。【００２５】以下本考案６の実施形態６について説明する。体動検知部１に感圧フィルムを用いる。【００２６】以下本考案７の実施形態７について説明する。エアーマット内にマイクロホンを内蔵したセンサ、エアーマット内に圧力センサを内蔵したセンサ、エアーマット内に気圧センサを内蔵したセンサを用いる。【００２７】以下本考案８の実施形態８について説明する。エアーマットとチューブを接続し、チューブの端に気圧センサまたは圧電センサまたは加速度センサまたはジャイカその他体動が検知できるセンサを用いる。
【図面の簡単な説明】
【図１】本第１考案のブロックダイアグラム
【図２】本第１考案のブロックダイアグラム
【図３】本第１考案の実施形態第１の動作するための波形
【符号の説明】
１．体動検出部
２．体動解析部
３．体動間隔計測部
４．通報部
５．人体検知部
【図１】
0003119439.tif 000003
【図２】
0003119439.tif 000004
【図３】
0003119439.tif 000005